【事件の表示】
　特許第３２２０６７７号「吸収体及び該吸収体を使用するシーツ」の請求項１ないし２１に係る特許に対する特許異議の申立てについて、次のとおり決定する。
【結　論】
　訂正を認める。
　特許第３２２０６７７号の請求項１ないし１２に係る特許を維持する。
【理　由】
〔１〕訂正の適否についての判断
(1)訂正の内容
　平成15年12月26日付けの訂正請求において、特許権者が求めている訂正の内容は、以下のとおりである。
　ア．訂正事項ａ
　特許請求の範囲の請求項１に記載される「吸収性混合層部を備える」を、
「吸収性混合層部を備える
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　イ．訂正事項ｂ
　特許請求の範囲の請求項２に記載される「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む吸収性粉砕物混合層を備える」を、
「下面を形成する
、孔が設けられている
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ウ．訂正事項ｃ
　特許請求の範囲の請求項３に記載される「貼り合わせられて積層体に形成されている」を、
「貼り合わ
さ
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　エ．訂正事項ｄ
　特許請求の範囲の請求項４に記載される「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む吸水性混合層部を備え、前記上部紙層部、吸収性混合層部、下部紙層部及びプラスチックフィルム部が、貼り合わせられて積層体に形成されている」を、
「下面を形成する
、孔が設けられている
さ
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　オ．訂正事項ｅ
　特許請求の範囲の請求項５に記載される「貼り合わせられたエンボス付き積層体に形成されている」を、
「貼り合わ
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　カ．訂正事項ｆ
　特許請求の範囲の請求項６に記載される「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む層を備え、前記上部紙層部、吸収性混合層部、下部紙層部及びプラスチックフィルム部が、貼り合わせられたエンボス付き積層体に形成されている」を、
「下面を形成する
、孔が設けられている
吸収性混合層部
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　キ．訂正事項ｇ
　特許請求の範囲の請求項７に記載される「上面を形成する上部吸収性紙層部と、下面を形成する下部吸収性紙層部と、前記上部及び下部の吸収性紙層部間に、プラスチック廃材粉砕物、パルプ廃材粉砕物及び吸水性樹脂を含む吸水性混合層部を備え、前記上部紙層部、吸収性混合層部及び下部紙層部が、熱圧着積層体に形成されている」を、
「上面を形成する
レーヨン製の
レーヨン製の
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
されている吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ク．訂正事項ｈ
　特許請求の範囲の請求項８に記載される「上面を形成する上部吸収性紙層部と、下面を形成するプラスチックフィルム部と、該プラスチックフィルム部に下面を接して設けられている下部吸収性紙層部と、前記上部及び下部の吸収性レーヨン紙層部間にプラスチック廃材粉砕物、パルプ廃材粉砕物及び吸水性樹脂を含む吸水性混合層部を備え、前記上部紙層部、吸収性混合層部及び下部紙層部及びプラスチックフィルム部が、熱圧着積層体に形成されている」を、
「上面を形成する
レーヨン製の
、孔が設けられている
レーヨン製の
レーヨン製の吸収性紙層部
、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
吸収体において、レーヨン製の上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ケ．訂正事項ｉ
　特許請求の範囲の請求項９を削除する。
　コ．訂正事項ｊ
　特許請求の範囲の請求項10を請求項９に繰り上げ、「請求項１乃至８」を、「請求項１乃至
６
　サ．訂正事項ｋ
　特許請求の範囲の請求項11〜14を削除する。
　シ．訂正事項ｌ
　特許請求の範囲の請求項15に記載される「前記多孔層部の下面に接して位置する上部吸水性紙層部と、前記不透水性膜層部の上面に接して配置される下部吸収性紙層部を備えるシーツにおいて、上部吸水性紙層部と下部吸水性紙層部の間に、プラスチック廃材粉砕物、パルプ廃材粉砕物及び吸水性樹脂を含む吸収性混合層部を備え、前記上部吸水性紙層部、吸収性混合層部及び下部吸水性紙層部が、貼り合わせられて積層体を形成している」を、
「前記多孔層部の下面に接して位置する上部吸水性紙層部と、前記不透水性膜層部の上面に接して配置される下部吸収性紙層部を備えるシーツにおいて、上部吸水性紙層部と下部吸水性紙層部の間に、プラスチック廃材粉砕物、パルプ廃材粉砕物及び吸水性樹脂を含む吸収性混合層部を備え、前記上部吸水性紙層部、吸収性混合層部及び下部吸水性紙層部が、貼り合わ
さ
おり、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ス．訂正事項ｍ
　特許請求の範囲の請求項16を、請求項11に繰り上げ、「請求項15に記載」の記載を「請求項
10
　セ．訂正事項ｎ
　特許請求の範囲の請求項17を削除する。
　ソ．訂正事項ｏ
　特許請求の範囲の請求項18を、請求項12に繰り上げ、「請求項15に記載」を「請求項
10
　タ．訂正事項ｐ
　特許請求の範囲の請求項19〜21を削除する。
　チ．訂正事項ｑ
　発明の詳細な説明の段落【0001】の「吸収性をによる」を、「吸収
性に
　ツ．訂正事項ｒ
　発明の詳細な説明の段落【0006】の第１段落の「吸収性混合層部を備える」を、
「吸収性混合層部を備える
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　テ．訂正事項ｓ
　発明の詳細な説明の段落【0006】の第２段落の「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む吸収性粉砕物混合層を備える」を、
「下面を形成する
、孔が設けられている
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ト．訂正事項ｔ
　発明の詳細な説明の段落【0006】の第３段落の「貼り合わせられて積層体に形成されている」を、
「貼り合わ
さ
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ナ．訂正事項ｕ
　発明の詳細な説明の段落【0006】の第４段落の「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む吸水性混合層部を備え、前記上部紙層部、吸収性混合層部、下部紙層部及びプラスチックフィルム部が、貼り合わせられて積層体に形成されている」を、
「下面を形成する
、孔が設けられている
さ
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ニ．訂正事項ｖ
　発明の詳細な説明の段落【0007】の第１段落の「貼り合わせられたエンボス付き積層体に形成されている」を、
「貼り合わ
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸収性樹脂である
　ヌ．訂正事項ｗ
　発明の詳細な説明の段落【0007】の第２段落の「下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む層を備え、前記上部紙層部、吸収性混合層部、下部紙層部及びプラスチックフィルム部が、貼り合わせられたエンボス付き積層体に形成されている」を、
「下面を形成する
、孔が設けられている
吸収性混合層部
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ネ．訂正事項ｘ
　発明の詳細な説明の段落【0007】の第３段落の「上面を形成する上部吸収性紙層部と、下面を形成する下部吸収性紙層部と、前記上部及び下部の吸収性紙層部間に、プラスチック廃材粉砕物、パルプ廃材粉砕物及び吸水性樹脂を含む吸水性混合層部を備え、前記上部紙層部、吸収性混合層部及び下部紙層部が、熱圧着積層体に形成されている」を、
「
本発明は、
レーヨン製の
レーヨン製の
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ノ．訂正事項ｙ
　発明の詳細な説明の段落【0007】の第４段落の「上面を形成する上部吸収性紙層部と、下面を形成するプラスチックフィルム部と、該プラスチックフィルム部に下面を接して設けられている下部吸収性紙層部と、前記上部及び下部の吸収性紙層部間にプラスチック廃材粉砕物、パルプ廃材粉砕物及び吸水性樹脂を含む吸水性混合層部を備え、前記上部紙層部、吸収性混合層部及び下部紙層部及びプラスチックフィルム部が、熱圧着積層体に形成されている」を、
「上面を形成する
レーヨン製の
、孔が設けられている
レーヨン製の
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
吸収体において、レーヨン製の上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ハ．訂正事項ｚ
　発明の詳細な説明の段落【0007】の第５段落の「前記多孔層部の下面に接して位置する上部吸水性紙層部と、前記不透水性膜層部の上面に接して配置される上部吸水性紙層部を備えるシーツにおいて、上部吸水性紙層部と下部吸水性紙層部の間に、プラスチック廃材粉砕物、パルプ廃材粉砕物及び吸水性樹脂を含む吸収性混合層部を備え、前記上部吸水性紙層部、吸収性混合層部及び下部吸水性紙層部が、貼り合わせられて積層体を形成している」を、
「前記多孔層部の下面に接して位置する上部吸水性紙層部と、前記不透水性膜層部の上面に接して配置される
下
されて
シーツにおいて、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ヒ．訂正事項α
　発明の詳細な説明の段落【0011】の「本発明において、吸水性の紙層部は、前記多孔質層部の下面に接して上部紙層部として設け、また、下部紙層部は、その侭、吸収体の底部を形成してもよく、底部を不透水性のプラスチック製の膜層部で形成して、底面を補強する事ができる。この場合には、前記下部紙層部は、該不透水性のププラスチック製の膜層部の内面、即ち上面に接して設けることができる。」を、
「本発明において、
上部吸収性紙層部及び下部吸水性紙層部の中の少なくとも一方をレーヨン製の紙層部とすることができる。
のプ
　フ．訂正事項β
　発明の詳細な説明の段落【0012】の「主としてプラスチック含有の分級産物が使用できる。」の記載に次に、
「
本発明において、このようなプラスチック廃材粉砕物としては、紙おむつ廃材粉砕物、乳パッド廃材粉砕物又は尿パッド廃材粉砕物或いは前記粉砕物二以上の粉砕物の混合物から分級された主成分としてプラスチックを含有する分級産物がある。本発明の吸収体及びシーツにおいて、パルプ廃材粉砕物は、紙おむつ廃材粉砕物、乳パッド廃材粉砕物又は尿パッド廃材粉砕物或いは前記粉砕物の二以上の粉砕物の混合物からプラスチック材料が分離された、主成分として紙粉及び吸収性樹脂を含有する分離産物を含ませることができる。
　ヘ．訂正事項γ
　発明の詳細な説明の段落【0018】の「動物用シーツはに」を、
「動物用シー
ツに
　
(2)訂正の目的の適否、新規事項の有無及び拡張・変更の存否
　ア．訂正事項ａは、発明を特定する事項である訂正前の請求項１に記載の吸収体について、その態様を「吸収性混合層部を備える吸収体において、
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
 イ．訂正事項ｂは、発明を特定する事項である訂正前の請求項２に記載の吸収体について、その態様を「
、孔が設けられている
、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ウ．訂正事項ｃは、「貼り合わせられて」を「貼り合
わせて
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　したがって、上記両訂正は、新規事項の追加に該当しない。
　エ．訂正事項ｄは、「貼り合わせられて」を「貼り合わ
されて
孔が設けられている
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　したがって、上記両訂正は、新規事項の追加に該当しない。
　オ．訂正事項ｅは、「貼り合わせられて」を「貼り合わ
されて
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　したがって、上記両訂正は、新規事項の追加に該当しない。
　カ．訂正事項ｆは、「貼り合わせられて」、「吸収性樹脂を含む層」を、それぞれ、「貼り合
わされて
吸収性混合層部
孔が設けられている
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　したがって、上記両訂正は、新規事項の追加に該当しない。
　キ．訂正事項ｇは、発明を特定する事項である訂正前の請求項７に記載の吸収体について、その態様を「
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ク．訂正事項ｈは、発明を特定する事項である訂正前の請求項８に記載の吸収体について、その態様を「
レーヨン製の
孔が設けられている
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
レーヨン製の上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　ケ．訂正事項ｉ、ｋ、ｎ、ｐは、それぞれ、請求項９、11〜14、17、19〜21の削除であるから、特許請求の範囲の減縮を目的とするものであり、新規事項の追加に該当しない。
　コ．訂正事項ｊは、請求項９の削除に伴い、訂正前の請求項10に記載されていた事項を、繰り上げて請求項９とし、新請求項は、新請求項１乃至６を引用することとなるから、上記ア．〜カ．に述べたとおり、特許請求の範囲の減縮を目的とするものであり、新規事項の追加に該当しない。
　サ．訂正事項ｌは、上記訂正事項ｉ、ｋ、ｎ、ｐに付随的に生じる記載の不備を解消するものであるから、明りょうでない記載に釈明を目的とするものであって、新規事項の追加に該当せず、及び発明を特定する事項である訂正前の請求項15に記載の積層体について、その態様を「積層体を形成しており、
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　シ．訂正事項ｍ、ｏは、上記訂正事項ｉ、ｋ、ｎ、ｐに付随的に生じる記載の不備を解消するものであって、請求項16を、新請求項11に繰り上げ、請求項18を、新請求項12に繰り上げものであるが、新請求項は、いずれも、新請求項10を引用することとなるから、上記サ．に述べたとおり、特許請求の範囲の減縮を目的とするものであり、新規事項の追加に該当しない。
　ス．訂正事項ｑ〜γは、上記訂正事項ａ〜ｐの訂正に伴い、記載を整合するものであるから、明りょうでない記載の釈明を目的とするものであり、新規事項の追加に該当しない。
　
　そして、上記ア．〜ス．のいずれの訂正も実質上特許請求の範囲を拡張し、又は変更するものでもない。
　
(3)むすび
　以上のとおりであるから、上記訂正は、特許法第120条の４第２項及び同条第３項において準用する同法第126条第２、３項の規定に適合するので、当該訂正を認める。
　
〔２〕異議申立てについての判断
(1)本件発明
　上記〔１〕で示したように、上記訂正が認められるから、本件の請求項１〜12に係る発明（以下、「本件発明１〜12」という。）は、上記訂正に係る訂正明細書の特許請求の範囲の請求項１〜12に記載された事項により特定される次のとおりのものである。
「【請求項１】上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸収性混合層部を備える
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項２】上面を形成する上部吸収性紙層部と、下面を形成する、
孔が設けられている
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項３】上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸水性混合層部を備え、前記上部紙層部、吸収性混合層部及び下部紙層部が、貼り合わ
さ
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項４】上面を形成する上部吸収性紙層部と、下面を形成する
、孔が設けられている
わされて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項５】上面を形成する上部吸収性紙層部と、下面を形成する下部吸収性紙層部と、前記上部及び下部紙層部間に、プラスチックフィルム廃材粉砕物、パルプ廃材粉砕物及び吸水性樹脂を含む吸水性混合層部を備え、前記上部紙層部、吸収性混合層部及び下部紙層部が、貼り合わ
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項６】上面を形成する上部吸収性紙層部と、下面を形成する
、孔が設けられている
吸収性混合層部
されて
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項７】上面を形成する
レーヨン製の
レーヨン製の
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
吸収体において、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項８】上面を形成する
レーヨン製の
、孔が設けられている
レーヨン製の下部
レーヨン製の
紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む
吸収体において、レーヨン製の上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項
９
６
【請求項1
0
さ
おり、上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
【請求項1
1
10
【請求項12】上部吸水性紙層部及び下部吸水性紙層部の中の少なくとも一方がレーヨン製の紙層部であることを特徴とする請求項
10
　
(2)申立ての理由の概要
　特許異議申立人宇田川庄吾は、本件請求項１〜21に係る発明は、甲第１〜３号証に記載された発明に基づいて当業者が容易に発明をすることができたものであるから、本件請求項１〜21に係る発明の特許は、特許法第29条第２項の規定に違反してされたものであり、特許法第113条第２号の規定により取り消すべきものである、と主張している。
　
(3)刊行物に記載された発明
　　ア．当審が通知した取消の理由に引用された刊行物１（特開昭52-82548号公報、特許異議申立人の提出した甲第２号証）には、使い棄て吸収性物品に関して、Fig.1〜6とともに以下の事項が記載されている。
（ア−１）「体液を受け保持するのに用いる為の使い棄て式の一種の吸収性物品例えば使い棄ておむつや使い棄て衛生パッドが従来提案されている。この様な吸収性物品は流体不滲透性の裏側シート、流体滲透性表側シート、および表側シートを貫通する体液を捕捉するための裏側シートと表側シートとの間の吸収パッドを有する。吸収パッドは普通所要の吸収性能を与える繊維セルロース材料で作る。」（公報第２頁左下欄第１〜８行）
（ア−２）「在来の使い棄ておむつ等の物品は上述のように撥水性材料および親水性の材料で作るから、そのような物品の材料は本発明の吸収パッド26に必要な材料と同様なものである。従って、完成した物品を製造する際に生じる通常廃棄される吸収性物品の屑を適当量選択して本発明の吸収パッドを作ることができる。屑の物品に含まれている親水性材料で吸収パッド26の親水性繊維の少なくとも一部を形成し、屑の物品の撥水性材料でパッド26の撥水性材料52を形成する。前述のようにパッド26の親水性材料は屑の吸収パッド、屑の表側シートの一部、屑の表側および裏側の詰物シート、およびおそらくはテープファスナーの屑のテープから得ることができる。吸収パッド26の撥水性材料は熱可塑性の裏側シート、表側シートの撥水性部分、およびおそらくはテープファスナーのテープから得ることができる。」（公報第４頁右下欄第１〜17行）
（ア−３）「前述のように、新しいパッド中の充分な量の撥水性材料を入れて、新しい吸収パッド又は吸収性物品の湿った状態での弾性を増すことが望ましいが、新しいパッドの親水性材料の相対的な量をパッドの総吸収能力が損われる程減ずることはできない。この性能を得るために新しいパッド中の撥水性材料と親水性材料との間の適当なバランスは新しいパッド中の撥水性材料の重量比を1〜15％の範囲で選択し、親水性材料をそれに対応して85〜99％の範囲から選択することによって得られる。屑の吸収性物品に含まれる屑の各構成要素の比はその物品の構造により幾らか異なるが、平均の寸法の使い棄ておむつから取った屑の各構成要素の、同様なおむつ中の新しいパッドに含まれる比率は、新しいパッド中の屑の各構成要素の新しいパッドに対する重量比で次のとおりであるのが好ましい。
　　　屑の吸収パッド　　　　3.5〜17.0％
　　　屑の表側シート　　　　0.5〜2.5
　　　屑の表側シート　　　　1.0〜3.0
　　　屑のテープファスナー　0.1〜1.0
　　　屑の詰物シート　　　　1.1〜3.2
屑の供給材料の全供給材料に対する重量比は、5.0〜25.0％、これに対応して新しい供給材料の全供給材料に対する重量比は75.0〜95.0％であるのが好ましい。」（公報第12頁右上欄第19行〜右下欄第４行）
　
　イ．同刊行物２（特開平8-70724号公報、同甲第１号証）には、愛玩動物用シーツおよびその製造方法に関して、表１、２とともに以下の事項が記載されている。
（イ−１）「本発明は愛玩動物であるペット用の排泄物処理材として有用なシーツおよびその製造方法に関し、特に、脱臭性・消臭性に優れた愛玩動物用シーツおよびその製造方法に関する。」（段落【0001】）
（イ−２）「焙煎コーヒー抽出残渣を愛玩動物用シーツに用いることにより愛玩動物である犬、猫などがそのシーツを喜んで利用し、愛玩動物の排泄物である糞尿に起因する悪臭を除去あるいは大幅に減少できることを見出し本発明を完成した。」（段落【0004】）
（イ−３）「本発明の愛玩動物用シーツは、基材上に、吸収材を含有する中間層と、表面材とをこの順に有してなり、上記焙煎コーヒー抽出残渣を含有することを除けば一般に使用されている愛玩動物用シーツの構造と同様である。・・・基材としては、通常、後述の吸収材で吸収できなかった尿がシーツの裏へ逃げるのを防止するために、防水性を有するシートを使用する。防水性を有するシートとしては、例えば、プラスチックフィルムなどの合成樹脂シートが挙げられるが、防水性を有する限り、材質は特に限定されるものではない。・・・また、表面材としては、通常、不織布が使用されるが、これに限定されるものではない。・・・中間層は、吸収材を含有するものであり、吸収材としては、例えば、吸収紙、粉砕パルプおよび高吸収性樹脂が挙げられる。」（段落【0010】、【0011】、【0012】、【0013】）
（イ−４）「本発明の愛玩動物用シーツは、例えば、以下のようにして製造される。まず、吸水紙の上に粉砕パルプを敷き、その上に上記焙煎コーヒー抽出残渣および必要に応じて高吸収性樹脂を散布する。次いでその上に吸水紙を被せ、エンボスロールによりエンボス加工を施し前記焙煎コーヒー抽出残渣を前記吸水紙に圧着かつ挟み込ませる。続いて必要に応じてこれらに更に吸水紙を載せ、最上層は不織布で、最下層は合成樹脂シートで覆い包む。このようにして、最下層より、合成樹脂シート、吸水紙、粉砕パルプ、焙煎コーヒー抽出残渣および高吸収性樹脂、吸水紙、不織布の順に積層されたシーツが得られる。」（段落【0018】）
（イ−５）「ローラに巻掛けた幅30cmの吸収紙（カバー紙）を順次繰り出し、その上に１次ホッパーより粉砕パルプを層状（１m2当たり20g）となるように散布し、次いで２次ホッパーより高吸収性樹脂を1m2当たり3g散布し、更に３次ホッパーより表１に示す重量の焙煎コーヒー抽出残渣の乾燥物を散布する。その上にローラで供給される吸水紙を連続的に積み重ね、次いでエンボスロールを通過させてエンボス加工を施し、該焙煎コーヒー抽出残渣を吸水紙に圧着させる。更に、その上に、ローラで供給される不織布を載せ、かつ基材であるプラスチックフィルムで最下層を包み込み作成し、更に30×40cmに裁断する。また、裁断と同時にそれぞれのシーツの外周部をヒートシールした。」（段落【0020】）
　
　ウ．同刊行物３（特開昭57-39845号公報、同甲第３号証）には、生理処理用品の包被材としてのレーヨン紙に関して、以下の事項が記載されている。
（ウ−１）「従来一般に使用されている生理処理用品の包被材は使用時の安全を考慮して長繊維、強バインダーの乾式不織布や湿潤強度を極度に高めた湿式不織布（レーヨン紙）が用いられてきた。これらはいずれも水中投棄ができないものばかりである。しかし、近年生理処理用品の使用後における便利性と汚物の廃棄処理上の問題から、家庭用浄化槽の如き小規模浄化槽にも廃棄することができ、しかも管路の閉塞や浄化槽における浄化機能を阻害しない優れた水中分散性を有する生理処理用品を提供することが強く要望されている。レーヨン紙に用いるレーヨンステープル（・・・）は木材パルプ等の天然繊維と異なり叩解処理を行ってもフィブリル化をほとんどおこさない。その為抄造段階での繊維間の結合を求めるべく繊維状ポリビニールアルコールバインダー（・・・）を使用する。」（公報第１頁左欄第20行〜右欄第17行）
　
(4)対比・判断
　ア．本件発明１について
　本件発明１と刊行物１に記載された発明を対比すると、刊行物１に記載された発明には、本件発明１における吸収体について、本件発明１を特定する事項である「
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　そして、本件発明１は、上記の事項を有することにより、「本発明において、吸収体は、上面を形成する上部吸収性紙層部と、下面を形成する下部吸収性紙層部と、前記上部及び下部紙層部間にプラスチック廃材粉砕物、パルプ廃材粉砕物及び吸水性樹脂を含む吸収性混合層部を備えているので、床の上に配置して、床に水滴が落ちても、床を乾いた状態に保つことができる。したがって、例えば床等に配置して、床の水に濡れるのを防止でき、また露天のイベント会場の場合には、通路に敷くことにより、雨天の日でも通路を乾いた状態に維持でき、来場した人達に通路の濡れによる不快感を与えることなく、またさらにシーツに使用して、人又は動物が、弾力性を有し、休養時及び就寝時に使用して、肌触りが良く、筋肉痛を防止することができる。　本発明においては、吸収体は、プラスチックフィルムを含む紙おむつ廃材、紙ナプキン廃材等の衛生材料廃材を吸収体原料とするので、使用後の尿及び汗等の水分により、吸収体の燃焼熱が低下しても、その分プラスチックフィルムの混合により、使用後の吸収体の燃焼熱を高めることができ、使用後の吸収体の燃焼不良を解消することができ、吸収体の焼却が容易となり、またプラスチックフィルムの処分も有効且つ容易となり、また衛生材料廃材の処理費用を低くすることができる。」という特許明細書に記載の作用効果を奏するものと認められる。
　したがって、本件発明１は、刊行物１〜３に記載された発明に基づいて当業者が容易に発明をすることができたものとすることができない。
　
　イ．本件発明２〜９について
　本件発明２〜９と刊行物１に記載された発明を対比すると、刊行物１に記載された発明には、本件発明２〜９における吸収体について、本件発明２〜９を特定する事項である「
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　そして、本件発明２〜９は、上記の事項を有することにより、「本発明において、吸収体は、上面を形成する上部吸収性紙層部と、下面を形成する下部吸収性紙層部と、前記上部及び下部紙層部間にプラスチック廃材粉砕物、パルプ廃材粉砕物及び吸水性樹脂を含む吸収性混合層部を備えているので、床の上に配置して、床に水滴が落ちても、床を乾いた状態に保つことができる。したがって、例えば床等に配置して、床の水に濡れるのを防止でき、また露天のイベント会場の場合には、通路に敷くことにより、雨天の日でも通路を乾いた状態に維持でき、来場した人達に通路の濡れによる不快感を与えることなく、またさらにシーツに使用して、人又は動物が、弾力性を有し、休養時及び就寝時に使用して、肌触りが良く、筋肉痛を防止することができる。　
　本発明においては、吸収体は、プラスチックフィルムを含む紙おむつ廃材、紙ナプキン廃材等の衛生材料廃材を吸収体原料とするので、使用後の尿及び汗等の水分により、吸収体の燃焼熱が低下しても、その分プラスチックフィルムの混合により、使用後の吸収体の燃焼熱を高めることができ、使用後の吸収体の燃焼不良を解消することができ、吸収体の焼却が容易となり、またプラスチックフィルムの処分も有効且つ容易となり、また衛生材料廃材の処理費用を低くすることができる。」という特許明細書に記載の作用効果を奏するものと認められる。
　したがって、本件発明２〜９は、刊行物１〜３に記載された発明に基づいて当業者が容易に発明をすることができたものとすることができない。
　
　ウ．本件発明10〜12について
　本件発明10〜12と刊行物１に記載された発明を対比すると、刊行物１に記載された発明には、本件発明10〜12におけるシーツについて、本件発明10〜12を特定する事項である「
上部吸収性紙層部及び下部吸収性紙層部が夫々吸水紙であり、吸水紙を上下に夫々一枚宛て配置したときの吸収体の組成が、12重量％の吸水紙、紙おむつ廃材粉砕物、乳パッド廃材粉砕物又は尿パッド廃材粉砕物或いは前記粉砕物の二以上の粉砕物の混合物から分級された主成分としてプラスチックを含有する分級産物を含む14乃至25重量％のプラスチック廃材粉砕物、35乃至60重量％のパルプ廃材粉砕物及び14乃至28重量％の吸水性樹脂である
　そして、本件発明10〜12は、上記の事項を有することにより、本件発明10〜12における吸収体を使用したシーツについての発明の作用効果である「本発明において、吸収体は、上面を形成する上部吸収性紙層部と、下面を形成する下部吸収性紙層部と、前記上部及び下部紙層部間にプラスチック廃材粉砕物、パルプ廃材粉砕物及び吸水性樹脂を含む吸収性混合層部を備えているので、床の上に配置して、床に水滴が落ちても、床を乾いた状態に保つことができる。したがって、例えば床等に配置して、床の水に濡れるのを防止でき、また露天のイベント会場の場合には、通路に敷くことにより、雨天の日でも通路を乾いた状態に維持でき、来場した人達に通路の濡れによる不快感を与えることなく、またさらにシーツに使用して、人又は動物が、弾力性を有し、休養時及び就寝時に使用して、肌触りが良く、筋肉痛を防止することができる。
　本発明においては、吸収体は、プラスチックフィルムを含む紙おむつ廃材、紙ナプキン廃材等の衛生材料廃材を吸収体原料とするので、使用後の尿及び汗等の水分により、吸収体の燃焼熱が低下しても、その分プラスチックフィルムの混合により、使用後の吸収体の燃焼熱を高めることができ、使用後の吸収体の燃焼不良を解消することができ、吸収体の焼却が容易となり、またプラスチックフィルムの処分も有効且つ容易となり、また衛生材料廃材の処理費用を低くすることができる。」という特許明細書に記載の作用効果を奏するものと認められる。
　したがって、本件発明10〜12は、刊行物１〜３に記載された発明に基づいて当業者が容易に発明をすることができたものとすることはできない。
　
〔３〕むすび
　以上のとおりであるから、特許異議申立ての理由及び証拠によっては、本件発明１〜12に係る特許を取り消すことができない。
　また、他に本件発明１〜12に係る特許を取り消すべき理由を発見しない。
　よって、結論のとおり決定する。
【異議決定日】
平成１６年２月３日（２００４．２．３）
【訂正の要旨】
審決（決定）の【理由】欄参照。
（５４）【発明の名称】
吸収体及び該吸収体を使用するシーツ
（５７）【特許請求の範囲】
　【請求項１】　上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸収性混合層部を備える吸収体
において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項２】　上面を形成する上部吸収性紙層部と、下面を形成する、
孔が設けられている
において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項３】　上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸水性混合層部を備え、前記上部紙層部、吸収性混合層部及び下部紙層部が、貼り合わ
さ
る吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項４】　上面を形成する上部吸収性紙層部と、下面を形成する
、孔が設けられている
さ
吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項５】　上面を形成する上部吸収性紙層部と、下面を形成する下部吸収性紙層部と、前記上部及び下部紙層部間に、プラスチックフィルム廃材粉砕物、パルプ廃材粉砕物及び吸水性樹脂を含む吸水性混合層部を備え、前記上部紙層部、吸収性混合層部及び下部紙層部が、貼り合わ
されて
る吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項６】　上面を形成する上部吸収性紙層部と、下面を形成する
、孔が設けられている
吸収性混合層部
されて
吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項７】　上面を形成する
レーヨン製の
レーヨン製の
レーヨン製の
紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む
上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項８】　上面を形成する
レーヨン製の
、孔が設けられている
レーヨン製の
レーヨン製の
紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む
る吸
レーヨン製の上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項
９
６
　【請求項１
０
さ
おり、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【請求項１
１
１０
　【請求項１
２
１０
【発明の詳細な説明】
　【０００１】
　【産業上の利用分野】
　本発明は、プラスチック廃材及び紙廃材を利用した、屋根の無いイベント会場の雨天の日の雨による床の濡れの防止用吸水性マット、調理場の床の濡れの防止用吸水性マット、洗面所の床の濡れの防止用吸水性マット、冷蔵庫の周囲の床の濡れの防止用吸水性マット、トイレの床等の床の水滴等による濡れの防止用吸水性マット又は濡れた部分の拭き取り用の吸水性マット、ベット用補助マット、建築物の天井部、壁部又は窓部等の結露の拭き取り用の吸水性マット、及び園芸用の水蒸発防止用の吸水性マットなどの吸水性マット又は吸収
性に
　また、本発明は、プラスチック製有機物廃材、廃紙材を利用した吸水性マットを、シーツ内部の吸水層部に使用する使い捨て用の人又は愛玩動物用のシーツに関する。
　さらに、本発明は、冷凍水産物の運搬の際に、水産物が氷解した水に濡れるのを防止する吸収用マットに関する。
　さらにまた、本発明は、傘立ての受部に配置して、傘から落ちる水滴を吸収する水滴吸収マットに関する。
　【０００２】
　【従来の技術】
　従来、床の濡れは、布製の雑巾又は使い捨て用の雑巾や、雑巾、スポンジ等の各種の吸収体を取り付けた棒雑巾を使用して拭かれており、また洗面所等の予め水等で濡れる箇所には吸水性のマットが使用されている。
　また使い捨て用の人や動物用シーツには、前記不透水性膜の内側に接して吸水性の上部紙層部を設け、シーツ底部の不透水性膜層部の内側に接して下部紙層部を設け、前記上下の紙層部間に、高吸水性樹脂を含む紙粉が配置されている。
　【０００３】
　【発明が解決しようとする課題】
　しかし、布製の雑巾や棒雑巾は、繰り返し使用するものであり、使用済みの雑巾を再使用できるようにするのに多くの手間を要し問題である。また、従来の使い捨て用のシーツには紙粉及び高吸水性樹脂が使用されており、紙粉には、パルプ粉砕物が使用されているが、パルプ粉砕物は、最近では入手困難であり、比較的高価となっており、その使用が問題とされている。
　そこで、パルプ粉砕物を減少させると共に、パルプ粉砕物に代えて、高吸水性樹脂が使用されているが、パルプ粉砕物を減少させた使い捨て用の吸収体は、パルプ粉砕物の使用量を少なくして、比較的薄く形成されるために、弾力性に乏しく、比較的堅い吸収体となり、問題とされている。
　また水産物は、搬送時に藁や紙の上に配置されるが、氷解等により濡れた藁や紙の上に配置されて問題である。
　【０００４】
　一方、紙おむつや生理用ナプキンは、大量に使用されており、また大量に製造されるが、製造時の裁断の際には、原材料の紙粉及び高吸水性樹脂を含む吸水層部やプラスチックフィルムの裁断屑が大量に発生する。プラスチックフィルム裁断屑は、プラスチック材料の燃焼熱が高く、その処理が問題とされており、また、紙オムツの製造時に大量に発生する検査不良の紙オムツも、その処理が問題とされている。
　本発明は、従来の雑巾やマット等の吸収体の原材料や再使用に係る問題点、或いはシーツの原材料及び弾力性に係る問題点並びに、プラスチックフィルム廃材や紙オムツ廃材の処分の問題点を解決することを目的としている。
　【０００５】
　【課題を解決するための手段】
　本発明者は、プラスチック材料を含有する不良衛生材料及び衛生材料裁断屑等の衛生材料廃物を粉砕することにより、吸収能を損なうことなく、吸収体として使用できること及びプラスチック材料の存在が使用後の吸収体の燃焼熱を高めて、自己燃焼継続が可能であり、また焼却処理の際にも燃料の節約を果たすことができることを発見して本発明に至った。
　本発明は、各種マット或いは人又は動物用シーツの吸収体の原材料として、プラスチックフィルム及び紙粉を含有する、紙おむつ及び生理用ナプキン等の衛生材料の廃材を使用して、比較的吸水性が大きい吸収体、及び該吸収体を使用して比較的弾力性のある人又は動物用シーツを提供することを目的としている。
　【０００６】
　即ち、本発明は、上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸収性混合層部を備える吸収体
において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
孔が設けられている
において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
さ
る吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
、孔が設けられている
さ
吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【０００７】
　さらに加えて、本発明は、上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸水性混合層部を備え、前記上部紙層部、吸収性混合層部及び下部紙層部が、貼り合わ
されて
る吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
、孔が設けられている
吸収性混合層部
されて
吸収体において、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
本発明は、
レーヨン製の
レーヨン製の
レーヨン製の
紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む
上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
レーヨン製の
、孔が設けられている
レーヨン製の
レーヨン製の
紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む
レーヨン製の上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
る上
吸水性
吸水性
吸水性
吸水性
吸水性
さ
おり、上部吸収性紙層部及び下部吸収性紙層部が夫々吸水紙であり、吸水紙を上下に夫々一枚宛て配置したときの吸収体の組成が、１２重量％の吸水紙、紙おむつ廃材粉砕物、乳パッド廃材粉砕物又は尿パツド廃材粉砕物或いは前記粉砕物の二以上の粉砕物の混合物から分級された主成分としてプラスチックを含有する分級産物を含む１４乃至２５重量％のプラスチック廃材粉砕物、３５乃至６０重量％のパルプ廃材粉砕物及び１４乃至２８重量％の吸水性樹脂である
　【０００８】
　【発明の実施の形態】
　本発明において、吸収体は、従来の吸収体と同様に、マット用として、また動物用シーツとして使用されるものであるが、その他に、休養及び就寝用のシーツ又はマットとして使用されるものである。
　本発明において、吸収体は、その上部には、上面を形成する上部吸収性紙層部が設けられ、底部には、下面を形成する下部吸収性紙層部が設けられる。本発明においては、底部下面をプラスチックフィルムで形成することができる。この場合は、下部吸収性紙層部の下面に接して不透水性のプラスチックフィルム層部が設けられる。本発明において、不透水性のプラスチックフィルム層部は、ポリエチレン樹脂、ポリプロピレン樹脂等のプラスチック材料製の不透水性のフィルム層部で形成することができる。本発明において、前記上部及び下部の紙層部間には、プラスチック廃材粉砕物、パルプ廃材粉砕物及び吸水性樹脂を含む吸収性混合層部が設けられる。
　【０００９】
　本発明において、上部吸収性紙層部、下部吸収性紙層部、並びに前記上部及び下部の紙層部間に設けられているプラスチック廃材粉砕物、パルプ廃材粉砕物及び吸水性樹脂を含む吸収性混合層部は、エンボスを付されて比較的柔軟な板状体に加圧成形される。このように比較的柔軟な板状体とすることにより、床の部分によく密着して、床の水滴等を吸収し易くなるので好ましい。
　【００１０】
　本発明において、シーツは、上部に透水性の多孔質層部が設けられており、この多孔質層部は、例えばポリプロピレン樹脂、ポリエチレン樹脂、ナイロン樹脂、ビニロン樹脂等のプラスチック繊維製の不織布層部又はポリエチレン樹脂、ポリプロピレン樹脂、塩化ビニル樹脂等のプラスチック製の多孔膜で形成することができ、下部は、不透水性のププラスチックフィルム層部であり、ポリエチレン樹脂、ポリプロピレン樹脂等のプラスチック製の不透水性の膜層部で形成することができる。本発明において、前記多孔質層部の内側には、その内側面に接して吸水性紙層部を設けることができる。
　【００１１】
　本発明において、吸水性の紙層部は、吸水紙又はクレープ紙で形成されるのが、良好な吸水性を確保できるので好ましい。
本発明において、上部吸水性紙層部及び下部吸水性紙層部の中の少なくとも一方をレーヨン製の紙層部とすることができる。
のプ
　【００１２】
　本発明においては、前記吸水性の紙層部に接して、プラスチック廃材粉砕物、パルプ廃材粉砕物及び吸水性樹脂を含む吸収性混合層部が設けられる。この吸収性混合層部において、プラスチック廃材粉としては、レーヨン繊維廃材粉砕物、ポリエチレンフィルム廃材粉粉砕物、又はポリプロピレンフィルム廃材粉砕物、或いはそれらの混合物、或いは、それらの廃材粉砕物また廃材粉砕物混合物の分級された主としてプラスチック含有の分級産物が使用できる。
本発明において、このようなプラスチック廃材粉砕物としては、紙おむつ廃材粉砕物、乳パッド廃材粉砕物又は尿パッド廃材粉砕物或いは前記粉砕物二以上の粉砕物の混合物から分級された主成分としてプラスチックを含有する分級産物がある。本発明の吸収体及びシーツにおいて、パルプ廃材粉砕物は、紙おむつ廃材粉砕物、乳パッド廃材粉砕物又は尿パッド廃材粉砕物或いは前記粉砕物の二以上の粉砕物の混合物からプラスチック材料が分離された、主成分として紙粉及び吸水性樹脂を含有する分離産物を含ませることができる。
　【００１３】
　本発明において、不良品の紙おむつ廃材、乳パッド、ヒップパツド又は紙ナプキン等の衛生材料は、プラスチック材料、紙粉及び吸水性樹脂を含んでいるので、その侭粉砕して、プラスチック廃材粉、パルプ廃材粉及び吸水性樹脂廃材粉を含む粉砕物の混合物として使用することができる。前記衛生材料の製造時に発生する裁断屑、及び裁断時発生する粉塵の集塵された所謂集塵ロスは、プラスチック材料及びパルプ材料粉の紙粉を含有するので、例えば粉砕してプラスチック廃材粉砕物及びパルプ廃材粉砕物として使用できる。これらの衛生材料製造時に発生する裁断屑又は集塵ロスは、吸水性樹脂又は高吸水性樹脂の含有量が少ないので、吸水性樹脂又は高吸水性樹脂を添加混合することが必要である。
　【００１４】
　本発明において、吸収体は、その表側及び裏側の夫々に吸水紙が設けられている。吸水紙は、例えば、一枚の坪量が１２．５ｇ／ｍ２のティシュペーパであり、上下に夫々一枚宛配置される。本発明において、吸収体が、人又は動物用シーツとして使用されるときは、例えば、上面の吸水紙を二枚とし、最上部に位置する吸水紙を検査用吸水紙とすることができる。この場合、該吸水紙には、一般に使用されるｐＨ検出試薬含有するインク、タンパク質検出試薬を含有するインク、潜血検出試薬を含有するインク又はウロビリノーゲン検出試薬含有するインク或いは前記検出試薬の二以上を印刷することができる。このように、上部の吸水紙を少なくとも二枚とし、その最上部の吸水紙に、検出試薬を印刷することにより、印刷された検出試薬に、紙粉及び高吸水性樹脂の影響を避けることができ、正確な検出を行うことができるので好ましい。
　【００１５】
　本発明において、吸収体に吸水性を保持させるために、高吸水性樹脂が配合される。本発明において使用される高吸水性樹脂は、人工尿で自重の３０倍から１００倍程度の水を吸収しても、形を保持できる樹脂であるのが好ましい。このような高吸水性樹脂としては、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これらは、吸水性材料粉に単独で又はこれら２種以上を混合して使用される。廃油処理等に使用する場合は、吸油性の高い吸水性樹脂が使用される。
　【００１６】
　本発明において、廃材に含ませる吸水性樹脂は、吸水性の高い所謂高吸水性樹脂を使用すると、その使用量を少なくできるので好ましい。
　本発明において、吸水性樹脂の用語は、高級水性樹脂の他に、高級水性樹脂に比して吸水能力が低い吸水性樹脂をも意味する。
　本発明において、不良紙おむつ廃材のみを使用する場合には、高吸水性樹脂は、吸収体の１４乃至２８重量％となり、高い吸水性を維持することができるので好ましい。
　本発明においては、高吸水性樹脂は、例えば紙おむつ廃材から回収された高吸水性樹脂含有物を使用することができる。このような再生高吸水性樹脂は、人工尿で吸水倍率が１０〜３０ｇ／ｇとその吸水性能は乏しいが、吸収体ではこの程度の吸水効果で十分使用できることがわかった。使用する高吸水性樹脂の粒度は、５０乃至５００μｍであるのが好ましい。
　【００１７】
　廃材の紙粉に、木粉及びパンチ屑の粉砕物を加える場合には、木粉及びパンチ屑の粉砕物の粒度を小さくして、その使用量は、前記紙粉の３〜２０重量％以下、好ましくは３〜１０重量％以下である。
　本発明において、プラスチック廃材及び吸水性材料廃材は、夫々、その吸水性及び保水性を増すために、５ｍｍ以下、好ましくは３ｍｍの粒度に粉砕されて使用されるのが好ましい。
　本発明において、吸水紙を上下に夫々一枚宛（吸収体の全重量の１２重量％）配置したときの吸収体の組成は、吸水性樹脂の含有量が１４乃至２８重量％であり、パルプ廃材粉砕物（紙粉）の含有量が３５乃至６０重量％であり、プラスチック廃材粉砕物の含有量が１４乃至２５重量％であるのが好ましい。
　【００１８】
　本発明において、吸収体を人又は動物用シー
ツに
　【００１９】
　【作用】
　本発明において、吸収体は、上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸収性混合層部を備えるので、吸収体を床の上に配置した場合、吸収体は、床に落ちる水滴を吸収するが、吸収体の表面は比較的乾いた状態を維持する事ができ、また、床が濡れるのを防止することができる。
　【００２０】
　したがって、例えば、露天のイベント会場の床や運動場の地面の雨による濡れの防止、調理場の床、洗面所の床、冷蔵庫の周囲の床、及びトイレの床等に敷いて、床の水滴を吸収して、床の濡れを防止することができる。また例えば、ベット用補助マットに使用して、夜尿症の患者のベットの濡れを防止することができる。建築物の天井部、壁部又は窓部等の結露の拭き取り用の吸水性マットとして使用して、窓等の結露を除去することができる。また園芸用の水の蒸発防止用の吸水性マットとして、予め湿らせて鉢植え等に被せて使用すると、保水による鉢植えからの水の蒸発を防止することができる。吸水性マットを例えば水産物の下に敷いて、又は吸水性マットを袋状に形成して、水産物を包んで、水産物を氷解した水に接触することなく運搬することができる。
　【００２１】
　また本発明は、上面を形成する上部吸収性紙層部と、下面を形成するプラスチックフィルム部と、該プラスチックフィルム部に下面を接して設けられている下部吸収性紙層部と、前記上部及び下部紙層部間にプラスチック廃材粉砕物、パルプ廃材粉砕物及び吸水性樹脂を含む吸収性粉砕物混合層を備えるので、プラスチックフィルム部に孔を開けて吸水性を発揮させると共に、所定の機械的強度を保って、床に落ちる水滴を吸収し、水場の濡れを解消することができる。例えば傘立ての受部に配置して、濡れた傘から流れ落ちる水滴を吸収するので、傘立てに水が溜まることがなくなる。
　【００２２】
　さらに本発明の吸収体は、例えば上面を形成する透水性の多孔質層部と、下面を形成するプラスチック製の透水性膜層部と、前記多孔質層部の下面に接して位置する吸水性の紙層部と、前記吸水性の紙層部の下面に接して位置してプラスチック廃材粉、紙廃材粉及び吸水性樹脂の混合物を含む混合層部を備えており、前記不透水性膜層部は、前記混合層部の下方に位置して配置されているので、人又は動物の排泄した尿の吸収が良く、また保水性が良く、さらに弾力性があり、寝具として良好である。
　【００２３】
　ポリエチレンフィルム及びポリプロピレンフィルム等のプラスチックフィルムは、燃焼熱が高く、燃焼炉を痛めて問題とされているが、本発明においては、プラスチックフィルムを、紙おむつ廃材、紙ナプキン廃材等の衛生材料紙廃材に含有される紙料と混合して吸収体とすることにより、プラスチックフィルムを含めた分吸収体の燃焼熱を高めることができ、使用後に吸収体に付着する雨水、水、尿及び汗等の水分により、燃焼熱が低下しても、プラスチックフィルムの混合により、使用後の吸収体の燃焼不良を改善でき、プラスチックフィルム廃材の処理が容易となり、廃材処理費用を低くすることができる。
　【００２４】
　【実施例】
　以下、本発明の実施の態様の例を説明するが、本発明は、以下の説明及び例示によって何等制限されるものではない。
　図１は、本発明の一実施例の吸収体の説明図である。図２は本発明の別の一実施例であり動物用吸収体に使用した事例の説明図である。図３は、本発明の動物用吸収体を製造する工程を示す概略の工程図である。図１乃至図３において対応する箇所には同一の符号が付されている。
　【００２５】
　図１において、マット用吸収体１は、吸水紙２（１２．５ｇ）の上に、高吸水性樹脂（３０ｇ）を含む粒度５ｍｍ以下の不良紙おむつ粉の混合粉３（１３０ｇ）が配置され、その上に吸水紙４（１２．５ｇ）が配置されて、エンボス（図に示されていない）を付けて板状に圧縮成形されている。本例におけるマット用吸収体の使用前の燃焼熱は４８９０キロカロリー（ｋｃａｌ）／ｋｇであるが、倍量の水を吸水した後の吸収体の燃焼熱は２１２５ｋｃａｌ／ｋｇであり、燃焼不良にはならない。
　【００２６】
　図２において、動物用吸収体１は、約１０ｍｍの径の円形の孔（図示されていない）が４０％の開口面積で形成されているポリエチレンフィルム４（２２ｇ）の上に下部吸水紙２（１２．５ｇ）が配置され、その上に粒度５ｍｍ以下の不良紙おむつの粉砕粉５（１３０ｇ）が配置され、その上に、高吸水性樹脂６（３０ｇ）が配置され、その上に吸水紙２（１２．５ｇ）が配置され、その上を、ポリプロピレン不織布７（１７ｇ）で覆い、ポリプロピレン不織布７の端部は、最下層のポレエチレンフィルム４の端部とホットメルト接着剤を介してホットメルト接着されている。本例において使用されたラミネート紙は、ポリプロピレンフィルムが２０重量パーセント被覆されているものを使用した。本例における動物用シーツの使用前の燃焼熱は、５８２０ｋｃａｌ／ｋｇであるが、倍量の水を吸水した後の吸収体の燃焼熱は、２５９０ｋｃａｌ／ｋｇであり、燃焼不良にはならない。
　【００２７】
　図３において、吸水紙２のロール８は、吸水紙送り出しローラ９により引き出されて、不良紙おむつ廃材粉砕粉６の供給ローラ１０に送られて、粉砕機１１で粉砕された不良紙おむつ廃材、即ち不良紙おむつ廃材粉砕粉が供給される。不良紙おむつ廃材粉砕粉が供給された吸水紙２は、吸水紙２上の不良紙おむつ廃材粉砕粉の量が一定となるように調整されて、水の噴霧箇所１２に送られて、水噴霧器１３から水が吸水紙２上の一定量の不良紙おむつ廃材粉砕粉上に噴霧される。水が噴霧された不良紙おむつ廃材粉を載せた吸水紙２の部分は、高吸水性樹脂６の散布箇所１４に送られる。高吸水性樹脂６の散布箇所１４に送られた水が噴霧された吸水紙２に、高吸水性樹脂６が散布機１５から散布される。
　【００２８】
　高吸水性樹脂６が散布された吸水紙２は、上側吸水紙２の供給箇所１５に送られて、吸水紙２のロール８から上方に吸水紙２が載せられる。上下に吸水紙２が配置された積層帯状物１６は、エンボス機１７に送られてエンボスが形成される。エンボスが形成された積層帯状物は１６は、マットカッター１８に送られて、長さ４５０ｍｍの積層物に切断される。切断された積層物の下方には、下方からバックフィルム用のポリエチレンフィルム４がポリエチレンフィルム４のロール１９から供給され、積層物はポリエチレンフィルム４の上に載せられて、ポリプロピレン不織布７を被せる箇所２０に送られる。
　【００２９】
　ポリプロピレン不織布７は、ポリプロピレン不織布５のロール２１から送られ、途中ホットメルト接着剤が噴霧器２２から噴霧される。ホットメルト接着剤が噴霧されたポリプロピレン不織布７は、積層物上に載せられる。ポリプロピレン不織布７が載せられた積層物は、サイドシール機２３に送られて、両側部は、圧着されて、ホットメルト接着剤により接着される。両側部が接着された積層物は、エンドシール機２４に送られて長手方向両端部が接着され、製品カッター２５に送られ、所定の寸法に切断され製品として送られる。製品カッター２５で切断された製品は、折り機によって折られ包装機により包装されて出荷される。
　【００３０】
　【発明の効果】
　本発明において、吸収体は、上面を形成する上部吸収性紙層部と、下面を形成する下部吸収性紙層部と、前記上部及び下部紙層部間に、プラスチック廃材粉砕物、パルプ廃材粉砕物及び吸水性樹脂を含む吸収性混合層部を備えているので、床の上に配置して、床に水滴が落ちても、床を乾いた状態に保つことができる。したがって、例えば床等に配置して、床の水に濡れるのを防止でき、また露天のイベント会場の場合には、通路に敷くことにより、雨天の日でも通路を乾いた状態に維持でき、来場した人達に通路の濡れによる不快感を与えることなく、またさらにシーツに使用して、人又は動物が、弾力性を有し、休養時及び就寝時に使用して、肌触りが良く、筋肉痛を防止することができる。
　【００３１】
　本発明においては、吸収体は、プラスチックフィルムを含む紙おむつ廃材、紙ナプキン廃材等の衛生材料廃材を吸収体原料とするので、使用後の尿及び汗等の水分により、吸収体の燃焼熱が低下しても、その分プラスチックフィルムの混合により、使用後の吸収体の燃焼熱を高めることができ、使用後の吸収体の燃焼不良を解消することができ、吸収体の焼却が容易となり、またプラスチックフィルムの処分も有効且つ容易となり、衛生材料廃材の処理費用を低くすることができる。
【図面の簡単な説明】
　【図１】
　本発明の一実施例の吸収体の説明図である。
　【図２】
　本発明の別の一実施例であり動物用吸収体に使用した事例の説明図である。
　【図３】
　本発明の動物用吸収体を製造する工程を示す概略の工程図である。
　【符号の説明】
　１　動物用吸収体
　２　吸水紙
　３　高吸水性樹脂を含有する不良紙おむつ粉
　４　ポリエチレンフィルム
　５　不良紙おむつ廃材粉砕粉
　６　高吸水性樹脂
　７　ポリプロピレン不織布
　８　吸水紙２のロール
　９　吸水紙送り出しローラ
　１０　不良紙おむつ粉砕粉の供給ローラ
　１１　粉砕機
　１２　水噴霧箇所
　１３　水噴霧器
　１４　フラッフ７の散布箇所
　１５　上側吸水紙２の供給箇所
　１６　積層帯状物１６
　１７　エンボス機
　１８　マットカッター
　１９　ポリレエチレンフィルム４のロール
　２０　ポリプロピレン不織布５を被せる箇所
　２１　ポリプロピレン不織布のロール
　２２　ホットメルト接着剤噴霧器
　２３　サイドシール器
　２４　エンドシール機
　２５　製品カッター